(57)【要約】【課題】  通常のプリンタでなくても、マップアプリケーションから出力端末の状態および所在を確認し、簡単な操作で印刷先の指定および印刷を可能にするネットワーク画像入出力装置を提供することである。【解決手段】  マップアプリケーションには、ネットワーク画像入出力装置１４（以下、プリンタ）および機器の状態が表示される。プリンタ１４のあて先はＳＩＰサーバ１０が管理しており、マップアプリケーションはそのあて先を知っているものとする。プリンタ１４のあて先は、ＳＩＰアドレス（ＳＩＰ−ＵＲＩ）であり、プリンタ１４はマップアプリケーションからそのＳＩＰ−ＵＲＩを知ることが可能である。ＳＩＰ−ＵＲＩは、ＳＩＰサーバ１０によってＩＰアドレス、ポート番号、トランスポートなど、プリンタ１４とＳＩＰ呼接続を行うためのトランスポートアドレス情報を取得できるようになっている。【選択図】    図２
2006221456.tif 000002
【特許請求の範囲】
【請求項１】
ＩＰネットワーク環境下におけるＬＡＮ回線に接続するためのインタフェースを備えたネットワーク画像入出力装置において、
前記ネットワークに接続するための呼接続手段と、
前記ネットワークを介してプレゼンス情報を交換するプレゼンス情報交換手段と、
前記ネットワーク上で画像入出力装置のプレゼンス情報を表示するプレゼンス表示手段と、
前記プレゼンス表示手段の表示に対応して、印刷先の指定（ＳＩＰ−ＵＲＩ）を取得する印刷先指定取得手段と、
前記印刷先指定取得手段で取得した指定印刷先において印刷処理を行うことを特徴としたネットワーク画像入出力装置。
【請求項２】
前記プレゼンス表示手段が表示するプレゼンス情報に少なくともオンライン、オフライン、印刷中の情報を含むことを特徴とした請求項１記載のネットワーク画像入出力装置。
【請求項３】
前記印刷先指定取得手段による印刷先指定の取得は、前記プレゼンス表示手段に対する印刷ファイルのドラッグ＆ドロップによって印刷先の特定取得することを特徴とした請求項１または請求項２記載のネットワーク画像入出力装置。
【発明の詳細な説明】
【技術分野】
【０００１】
本発明は、ＩＰネットワーク、特にＶｏＩＰネットワーク環境下における、セッション開始プロトコルの通信手順、およびプレゼンス（ＳＩＭＰＬＥ：ＳＩＰの拡張機能）の通信手段に従ってリアルタイム通信を行うネットワーク画像入出力装置に関する。
【背景技術】
【０００２】
近年、ＰＣ（パーソナルコンピュータ）とプリンタまたはサーバーをネットワークで接続し、効率的に印刷を行うシステムが普及している。従来、このような環境下での印刷先の指定は、ＰＣのポートモニターによってあらかじめ設定されており、通常設定変更することは少なかった。
このようなネットワークに対応した画像形成装置ないし通信装置として以下の技術をあげることができる。
【特許文献１】特開２０００３−２７３９９８
【特許文献２】特開平７−３１９６５０
【特許文献３】特開２００４−１８７２６２
【発明の開示】
【発明が解決しようとする課題】
【０００３】
ところで、デスクトップＰＣと違い、例えばノート型ＰＣなどで印刷を指示する場合、必ずしも設定されている印刷機器の側にいるとは限らない。
また、従来、プリンタの設定を行う場合、オンラインかオフラインか印刷中なのか関係なく行われていた。
さらに、従来、新しいプリンタの設定および印刷を行う場合、プリンタのＩＰアドレスまたはホスト名を知っている必要があり、また、プリンタドライバのインストールも必要である。
【０００４】
そこで、本発明の第１の目的は、通常設定されているプリンタでなくても、マップアプリケーションから出力端末の状態および所在を確認し、簡単な操作で印刷先の指定および印刷を可能にするネットワーク画像入出力装置を提供することである。
本発明の第２の目的は、機器の状態を監視しながらプリンタの設定を可能にしたネットワーク画像入出力装置を提供することである。
本発明の第３の目的は、プリンタドライバのインストールを行うことなく、印刷ファイルをドラッグ＆ドロップするだけでプリンタの指定と印刷を同時に行うことを可能にしたネットワーク画像入出力装置を提供することである。
【課題を解決するための手段】
【０００５】
請求項１記載の発明では、ＩＰネットワーク環境下におけるＬＡＮ回線に接続するためのインタフェースを備えたネットワーク画像入出力装置において、前記ネットワーク（Ｖｏｉｃｅ  ｏｖｅｒ  ＩＰ）に接続するための呼接続手段と、前記ネットワークを介してプレゼンス情報を交換するプレゼンス情報交換手段と、前記ネットワーク上で画像入出力装置のプレゼンス情報を表示するプレゼンス表示手段と、前記プレゼンス表示手段の表示に対応して、印刷先の指定（ＳＩＰ−ＵＲＩ）を取得する印刷先指定取得手段と、前記印刷先指定取得手段で取得した指定印刷先において印刷処理を行うことにより、前記第１の目的を達成する。
請求項２記載の発明では、請求項１記載の発明において、前記プレゼンス表示手段が表示するプレゼンス情報に少なくともオンライン、オフライン、印刷中の情報を含むことにより、前記第２の目的を達成する。
【０００６】
請求項３記載の発明では、請求項１または請求項２記載の発明において、前記印刷先指定取得手段による印刷先指定の取得は、前記プレゼンス表示手段に対する印刷ファイルのドラッグ＆ドロップによって印刷先の特定取得することにより、前記第３の目的を達成する。
【発明の効果】
【０００７】
請求項１記載の発明では、マップアプリケーションによってプリンタの所在を視覚的に認識することができるので、ネットワークの設定やトランスポートアドレス情報がなくても印刷することができる。
請求項２記載の発明では、少なくとも印刷可能かどうかを知る情報のやり取りができるので、どのプリンタで印刷できるかを事前に認識することが可能である。
請求項３記載の発明では、ドラッグ＆ドロップの手順だけで印刷先の指定および印刷要求ができるので、簡単な手順で印刷要求を行うことができる。
【発明を実施するための最良の形態】
【０００８】
以下、本発明の好適な実施の形態を図１ないし図５を参照して詳細に説明する。
図１は、本実施例の全体構成を示した図である。この図に示すように、ＳＩＰサーバ１０とＰＣ（パーソナルコンピュータ）１２、ネットワーク画像入出力装置１４が、ＬＡＮ（ローカル・エリア・ネットワーク）２０でネットワーク接続されている。
この図に示すように、ＩＰネットワーク環境に、アドレス解決、アクセス制御、帯域管理、登録処理、プレゼンス情報管理などを行うＳＩＰサーバが接続されているものとする。また、ネットワークとＰＳＴＮを仲介するＶｏＩＰゲートウェイが接続されていてもよい。ＩＰネットワーク環境（ＶｏＩＰネットワーク環境）にＰＣ１２およびネットワーク画像入出力装置１４が接続されていることを前提としている。
【０００９】
図２は、ＩＰネットワーク上で参照可能な座席表（マップアプリケーション）の例を示した図である。
マップアプリケーションには、本実施例におけるネットワーク画像入出力装置１４（以下、プリンタ）および機器の状態が表示されている。プリンタ１４のあて先はＳＩＰサーバ１０が管理しており、マップアプリケーションはそのあて先を知っているものとする。プリンタ１４のあて先は、ＳＩＰアドレス（ＳＩＰ−ＵＲＩ）であり、プリンタ１４はマップアプリケーションからそのＳＩＰ−ＵＲＩを知ることが可能である。
ＳＩＰ−ＵＲＩは、ＳＩＰサーバ１０によってＩＰアドレス、ポート番号、トランスポートなど、プリンタ１４とＳＩＰ呼接続を行うためのトランスポートアドレス情報を取得できるようになっている。
【００１０】
本実施例では、前述の手段からＳＩＰ呼接続を使用してプリンタ１４の所在および印刷データを転送するためのセッション確立情報を取得し、セッション確立後、印刷データの転送、および印刷を可能としている。なお、セッション開始のプロトコルは、ＳＩＰ：ＲＦＣ３２６１を参照。
【００１１】
図３は、ＰＣ１２からプリンタ１４の状態を確認する手順を示したフローチャートである。この図では、プリンタ１４がＳＩＰサーバ１０またはＰＣ（ＳＩＰユーザエージェント）１２に通知可能な状態を示している。本実施例では、前述のネットワーク画像入出力装置１４が印刷可能な状態かを知った上で印刷要求を行えるようにするものである。
この図に示すように、ＲＥＧＩＳＴＥＲに対するレスポンスがあった後、プリンタ１４からＳＩＰサーバ１０に状態を通知している。この通知の例を図４に示してある。具体的な通知可能な状態とは、オンライン、オフライン、印刷中等である。
図５は、ＰＣ１２からプリンタ１４との印刷データセッションを確立する処理の手順を示したフローチャートである。
【００１２】
第３の実施例は、印刷ファイルをマップアプリケーションにドラッグ＆ドロップすることにより、上記実施例で示した手段によりプリンタのＳＩＰ−ＵＲＩを取得する。そして、印刷に必要な情報を取得して、印刷するものである。
【図面の簡単な説明】
【００１３】
【図１】本実施例における全体の構成を示した図である。
【図２】ＩＰネットワーク上で示したマップアプリケーションにおけるプリンタおよび機器の状態を示した図である。
【図３】ＰＣからプリンタの状態の確認する手順を示したフローチャートである。
【図４】プレゼンス通知が可能な状態の例を示した図である。
【図５】ＰＣからプリンタとの印刷データセッションを確立する処理の手順を示したフローチャートである。
【符号の説明】
【００１４】
１０  ＳＩＰサーバー
１２  ＰＣ
１４  ネットワーク画像入出力装置（プリンタ）
２０  ＬＡＮ
【図１】
2006221456.tif 000003
【図２】
2006221456.tif 000004
【図３】
2006221456.tif 000005
【図４】
2006221456.tif 000006
【図５】
2006221456.tif 000007